(57)【特許請求の範囲】
【請求項１】
情報が記録された記録媒体を筐体内部に収容する所定の収容位置と記録媒体からの情報読み取りまたは記録媒体への情報書き込みを行う記録再生位置との間で搬送する搬送手段を備えた情報記録媒体再生装置であって、
筐体上面に設けられた開口部と、
前記開口部から挿入された前記記録媒体を収容するとともに、前記収容位置と前記記録再生位置との間に移動可能に設けられた記録媒体保持手段と、
前記開口部を開閉するように前記筐体上面に沿って移動可能に設けられた蓋体とを備え、
前記搬送手段は、前記蓋体と前記記録媒体保持手段とを相反する方向に向かって移動させ、且つ前記開口部を閉状態とした前記蓋体を垂直に下降させたのち前記開口部とは異なる筐体上面側に水平移動させて前記開口部を開状態とすると共に、前記開口部を開状態とした前記蓋体を前記開口部側に水平移動させたのち垂直に上昇させて前記開口部を閉状態とすることを特徴とする情報記録媒体再生装置。
【請求項２】
前記記録媒体を筐体内部に収容する収容位置は、前記開口部のほぼ下方側とされるとともに、前記記録再生位置は、前記開口部の下方側とは異なる筐体内部に位置されることを特徴とする請求項１に記載の情報記録媒体再生装置。
【請求項３】
前記蓋体による前記開口部の開閉移動と、前記記録媒体保持手段による前記収容位置と前記記録再生位置との間の移動とを同一の駆動源で行うことを特徴とする請求項１に記載の情報記録媒体再生装置。
【請求項４】
前記情報記録媒体再生装置は、前記記録媒体の移動方向に沿った水平孔と前記開口部の下方側に向かって傾斜した傾斜孔とが形成された第１の案内孔を有し、前記筐体上面に沿って前記蓋体を移動させるラック部材と、
前記記録媒体の移動方向に沿った水平孔および前記開口部の上方側に向かって上昇した垂直孔とが形成された第２の案内孔を有する固定部材と、
前記蓋体に突設され前記第１の案内孔と第２の案内孔とに摺動可能に嵌合する嵌合突起とを備え、
前記ラック部材が前記記録媒体保持手段の移動方向と相反する方向に向かって移動することにより、前記蓋体の嵌合突起が前記第１の案内孔と第２の案内孔とに沿って摺動して前記蓋体を水平移動及び垂直に昇降移動させることによって前記開口部を開閉することを特徴とする請求項１に記載の情報記録媒体再生装置。
【発明の詳細な説明】
【０００１】
【発明の属する技術分野】
本発明は、情報記録媒体再生装置に関し、詳しくは、情報記録媒体再生装置のローディング方式に関するものである。
【０００２】
【発明が解決しようとする課題】
従来、音楽用のＣＤ（Compact Disk）に書き込まれた情報を読み取る音楽ＣＤドライブやＰＣ用の記録媒体としてのＣＤ−ＲＯＭ（CD Read Only Memory）に書き込まれた情報を読み取るＣＤ−ＲＯＭドライブなどの情報記録媒体再生装置には、記録媒体を載置するトレイが前面にせり出してくるフロントローディング方式（トレイ方式）、記録媒体を直接ドライブの前面に挿入するスロットイン方式、或いは、ポップアップ式にトップカバーを開いて記録媒体をドライブの上面から挿入するトップローディング方式などが採用されている。
ところで、フロントローディング方式やスロットイン方式を採用した情報記録媒体再生装置では、ユーザがトレイの開閉動作を妨げないようにしたり記録媒体の挿排出路を確保しなければならないために、情報記録媒体再生装置の前面側にはある程度の作業空間が必要となってしまうという問題があった。そして、そのような問題のために、情報記録媒体再生装置の設置場所が限られてしまうという問題もある。
また、ポップアップ式にトップカバーが開くトップローディング方式の記録媒体再生装置では、トレイが前面にせり出さないので前面側に作業空間を空ける必要はないものの、ドライブの上面側にトップカバーが完全に開ききるだけの空間が必要となってしまうという問題がある。そして、そのような問題のために、トップカバーが途中でつかえてしまうような狭い場所では記録媒体の交換作業に支障を来してしまうことから設置場所の自由度が低いという問題がある。
【０００３】
本発明は、このような従来の情報記録媒体再生装置が有している問題点を解決するためになされたものであり、記録媒体を必要最小限の作業空間でもって情報記録媒体再生装置にローディングさせることができ、装置本体の設置場所の自由度を向上させた情報記録媒体再生装置を提供することを目的とする。
【０００４】
【課題を解決するための手段】
このような目的を達成するために本発明は、情報が記録された記録媒体を筐体内部に収容する所定の収容位置と記録媒体からの情報読み取りまたは記録媒体への情報書き込みを行う記録再生位置との間で搬送する搬送手段を備えた情報記録媒体再生装置であって、
筐体上面に設けられた開口部と、前記開口部から挿入された前記記録媒体を収容するとともに、前記収容位置と前記記録再生位置との間に移動可能に設けられた記録媒体保持手段と、前記開口部を開閉するように前記筐体上面に沿って移動可能に設けられた蓋体とを備え、前記搬送手段は、前記蓋体と前記記録媒体保持手段とを相反する方向に向かって移動させ、且つ前記開口部を閉状態とした前記蓋体を垂直に下降させたのち前記開口部とは異なる筐体上面側に水平移動させて前記開口部を開状態とすると共に、前記開口部を開状態とした前記蓋体を前記開口部側に水平移動させたのち垂直に上昇させて前記開口部を閉状態とすることを特徴とする。
【０００５】
前記記録媒体を筐体内部に収容する収容位置は、前記開口部のほぼ下方側とされるとともに、前記記録再生位置は、前記開口部の下方側とは異なる筐体内部に位置されることを特徴とする。
【０００６】
前記蓋体による前記開口部の開閉移動と、前記記録媒体保持手段による前記収容位置と前記記録再生位置との間の移動とを同一の駆動源で行うことを特徴とする。
【０００７】
前記情報記録媒体再生装置は、前記記録媒体の移動方向に沿った水平孔と前記開口部の下方側に向かって傾斜した傾斜孔とが形成された第１の案内孔を有し、前記筐体上面に沿って前記蓋体を移動させるラック部材と、前記記録媒体の移動方向に沿った水平孔および前記開口部の上方側に向かって上昇した垂直孔とが形成された第２の案内孔を有する固定部材と、前記蓋体に突設され前記第１の案内孔と第２の案内孔とに摺動可能に嵌合する嵌合突起とを備え、前記ラック部材が前記記録媒体保持手段の移動方向と相反する方向に向かって移動することにより、前記蓋体の嵌合突起が前記第１の案内孔と第２の案内孔とに沿って摺動して前記蓋体を水平移動及び垂直に昇降移動させることによって前記開口部を開閉することを特徴とする。
【０００８】
【発明の実施の形態】
以下、本発明の最も好適と思われる情報記録媒体再生装置の実施の形態について図１〜図３を参照して説明する。図１は、本発明を適用した情報記録媒体再生装置の概略を説明するために開口部を開状態とした装置本体の斜視図、図２は、図１における装置内部の構成を説明するための分解平面図、図３は、図１における装置内部の構成を説明するための分解正面図である。なお、それらの図では、装置本体に記録媒体を挿入したり排出したりする方向を上下方向、装置本体の長手方向を左右方向、装置本体の短手方向を前後方向として説明する。
【０００９】
まず、図１〜３を参照して情報記録媒体再生装置の構成について説明する。
図１〜３に示すように、情報記録媒体再生装置１は、筐体内部と外部とを連通するよう筐体上面２に設けられた開口部３と、この開口部３を開閉する蓋体としてのスライドドア４と、開口部３から筐体内部に挿入された記録媒体１００を載置する記録媒体載置部５が凹み形成された記録媒体保持手段としてのスライドベース６と、筐体内部に組み込まれスライドドア４およびスライドベース６をスライド移動させるスライド機構７と、スライドベース６上の記録媒体１００をクランプするクランパ８と、記録媒体１００に書き込まれた情報を読み取ったり、情報を書き込んだりする記録再生部９とから構成されている。
【００１０】
開口部３は、情報記録媒体再生装置１の筐体上面２の片半分側をほぼ矩形状に開口することにより形成され、この開口部３からほぼ水平状態の記録媒体１００を垂直方向に下降させることにより筐体内部に記録媒体１００が挿入される。
【００１１】
開口部３を開閉するスライドドア４は、ほぼ水平状態のまま筐体上面２の長手方向（図中左右方向）に沿ってスライド移動自在に配置されているものであり、図２に示すように、筐体上面２の片半分側を覆うような枠体形状からなる本体部１０と、この本体部１０の図中前、後両端部から前、後方向に向かってそれぞれ張り出された張り出し部１１と、張り出し端部が下方（図２においては紙面奥側）に向かうように形成された立ち下がり部１２とから形成され、各立ち下がり部１２の所定位置には、図中前、後方向（図３においては紙面手前側）に向かって所定距離だけ突出された摺動ピン部１３が所定高低差をつけて２個一体的に形成されている。なお、このスライドドア４の細部には、開口部３を閉状態としたスライドドア４と筐体上面２との隙間から侵入する塵、埃を減少させる防塵構造が施されている。このような、スライドドア４の図中前、後方向には、スライドドア４をスライド可能に支持する一対の上側ラック部材１４およびシャーシ部材１５が配設されている。
【００１２】
スライドドア４とシャーシ部材１５との間に介在し、長手方向が左右方向に向かうように配置された上側ラック部材１４は縦板形状とされ、スライドドア４の摺動ピン部１３をほぼ図中左右方向に向けて摺動可能に嵌合してスライドドア４をほぼ水平状態に保ったままスライド移動させる案内孔１６が２個、所定高低差をつけて設けられている。
各案内孔１６には、図３に示すように、それぞれ図中左右方向に向かって所定距離だけ延ばされた水平部１７と、この水平部端から開口部３の下方側に向かって連続して斜め下方に所定距離だけ向かう傾斜部１８と、傾斜部端に設けられスライド移動中の摺動ピン部１３が係止する下向きの係止部１９とが形成されている。また、上側ラック部材１４の下端縁には、スライド機構７の駆動ギヤ３９と噛み合うためのラック部２０が図中左右方向に沿って下向きに形成されている。
【００１３】
上側ラック部材１４と協動してほぼ水平状態のスライドドア４をスライド移動自在に支持するシャーシ部材１５は、平面視がほぼ平板状で正面視がほぼ矩形状とされた状態で筐体内部に組み込まれるもので、図３に示すように、シャーシ部材１５の正面側には、スライドドア４の摺動ピン部１３を図中左右方向に向けて摺動可能に嵌合する案内孔２１が２個、所定高低差をつけて設けられている。各案内孔２１には、左右方向に向かって所定距離だけ延ばされた水平部２２と、この水平部端に連続し開口部３に向かって上方に所定距離だけ向かう垂直部２３とが形成されている。そのことにより、スライドドア４は、これらの上側ラック部材１４およびシャーシ部材１５の案内孔１６，２１に摺動ピン部１３が摺動可能に嵌合されてスライド移動が規制される。すなわち、開口部３を閉状態としたスライドドア４は、垂直に下降したのち開口部３とは異なる筐体上面２側に水平移動して開口部３を開状態とする。また、開口部３を開状態としたスライドドア４は、開口部３側に水平移動したのち垂直に上昇して開口部３を閉状態とする。
【００１４】
ところで、図２，３に示すように、シャーシ部材１５の左右両端部の上縁部には、シャーシ部材１５を筐体内に固定するためのウェルディングボルト２４が上向きに取り付けられている。
さらに、前側（図２において紙面下側）のシャーシ部材１５の背面左右両端部には、上側ラック部材１４の側端部が当接することによって開口部３の開状態を検知するオープン検知スイッチ２５が図中左端に、また、開口部３の閉状態を検知するクローズ検知スイッチ２６が図中右端の開口部側にそれぞれ取り付けられていて、これらの検知スイッチ２５，２６から出力された検出信号は、情報記録媒体再生装置１に組み込まれた図示しない制御手段に入力される。この制御手段には、各種検出信号や制御信号に基づいてスライドドア４やスライドベース６をスライド移動させて開口部３を開閉制御するとともに記録媒体１００を搬送制御するプログラムが予め記憶格納されている。
【００１５】
開口部３の下方における筐体内部には、ほぼ水平状態のまま開口部３の下方側と記録再生部９との間をスライド移動するスライドベース６がスライド移動自在に配置されている。このスライドベース６のほぼ中央部には、記録媒体１００を水平状態のまま載置する凹み形状の記録媒体載置部５が一体成形されているとともに、この記録媒体載置部５の載置中心Ｃ１は、記録媒体載置部５に載置する記録媒体１００の回転中心とほぼ一致している。さらに、この記録媒体載置部５には、下方側から記録再生部９の一部が挿通可能なように所定形状に切り欠かれた切り欠き部２７が形成されている。また、スライドベース６の図中前後両端部の上面側には、スライド機構７の駆動ギヤ３９と噛み合うためのラック部２８が長手方向（図中左右方向）に沿って上向きに形成されている。
【００１６】
スライド機構７は、スライドドア４とスライドベース６とをそれぞれ所定位置までスライド移動させるために筐体内に組み込まれているもので、駆動源としての駆動モータ２９と複数のプーリおよびギヤ３０〜３９とを備えて構成されている。詳述すると、開口部３の下方側にあたるシャーシベース（図示略）に固定された駆動モータ２９の駆動軸に連結された小プーリ３０と、この小プーリ３０と所定距離をあけて軸支された大プーリ３１とにゴムベルト３２が掛け回され、大プーリ３１と一体化された小径ギヤ３３に所定距離をあけて軸支された大径ギヤ３４が噛合し、大径ギヤ３４を軸部に取り付けた伝動シャフト３５の図中前後両端部に連結された伝達プーリ３６と、シャーシ部材１５のほぼ中間部の下方側であってスライドベース６よりも上方側となる位置に軸支された減速プーリ３７とにタイミングベルト３８が掛け回され、減速プーリ３７と一体化された駆動ギヤ３９の上面側に、上側ラック部材１４のラック部２０の所定位置がほぼ水平状態で噛み合わされるとともに、駆動ギヤ３９の下面側に、スライドベース６のラック部２８の所定位置がほぼ水平状態で噛み合わされている。そして、開口部３を開状態とするように回動制御された駆動ギヤ３９の上面側に、上側ラック部材１４のラック部２０の図中右端側、駆動ギヤ３９の下面側に、スライドベース６のラック部２８の図中左端側をそれぞれ噛み合わせることによって、駆動ギヤ３９の正、逆回転により上側ラック部材１４とスライドベース６とがそれぞれ相対する左右方向の何れか一方に向かって移動するように構成されている（図５参照）。
そのため、開口部３を閉状態とした駆動ギヤ３９の上面側には、上側ラック部材１４のラック部２０の図中左端側、駆動ギヤ３９の下面側には、スライドベース６のラック部２８の図中右端側が噛み合わされるとともに、スライド機構７は、情報記録媒体再生装置１に組み込まれた図示しない制御手段によって制御される。
【００１７】
クランパ８は、開口部３とは異なった筐体上面２のほぼ下方側にあたる筐体内部にチルト機構を備えて配置されていて、記録再生部９の上方側の所定位置、言い換えれば、スライドベース６の載置中心Ｃ１がクランプ状態におけるクランプ中心Ｃ２とほぼ同軸上となる位置、に搬送されてきたスライドベース６上の記録媒体１００の上面側をスライド機構７と連動してクランプするものである。
【００１８】
記録再生部９は、図２，３において一点鎖線で示すように、クランパ８の下方側のシャーシベースに固定され、図示しないターンテーブル上に記録媒体１００を載置してクランパ８とともにクランプし、所定の回転速度により回転させて記録媒体１００に書き込まれた情報を読み取ったり、情報を書き込んだりするものである。そのため、ターンテーブルの回転中心軸とクランプ状態におけるクランパ８のクランプ中心Ｃ２とがほぼ同軸上となるように配置されることにより、開口部３とは異なった筐体上面２の下方側にターンテーブルの回転中心軸が配置される。この記録再生部９は、情報記録媒体再生装置１に組み込まれた図示しない制御手段によって制御される。
【００１９】
かかる構造を有する情報記録媒体再生装置１によれば、スライド機構７における駆動モータ２９の駆動力により小プーリ３０を図３中反時計回り方向に回転させると、それに連動して大プーリ３１〜小径ギヤ３３が反時計回り方向に回転し、大径ギヤ３４〜伝達プーリ３６〜減速プーリ３７〜駆動ギヤ３９が時計回り方向に回転する。駆動ギヤ３９が時計回り方向に回転することにより、上側ラック部材１４が図中右方向に送り出されるのにともなってスライドベース６が図中左方向に移動される。この上側ラック部材１４の移動によって、上側ラック部材１４の案内孔１６とシャーシ部材１５の案内孔２１とに摺動可能に嵌合しているスライドドア４の摺動ピン部１３が移動方向を規制されることにより、スライドドア４がほぼ水平状態のまま図中右方向に送り出されて開口部３の下方側に到達する。それから、スライドドア４は垂直に上昇して開口部３を閉じる。これに対し、スライドベース６は、ほぼ水平状態のまま開口部３の下方側から送り出されて筐体上面２の下方側に到達する。
【００２０】
このように、情報記録媒体再生装置１の筐体内部に必要最小限の部品点数で、省スペースのスライド機構７を組み込むことができるので、装置本体の内部構造を簡素化しながら筐体上面２のスライドドア４が水平方向にスライド移動し、且つ垂直方向に昇降移動することによって開口部３をスムーズに開閉するスライディングトップ式の情報記録媒体再生装置１を提供することが可能になる。しかも、記録再生部９とスライド機構７の駆動モータ２９およびギヤ群３０〜３９とをスライドベース６下方側のシャーシベースに配置することができるので、装置本体における高さ方向の増大を招くことがなく、装置本体の小型化を図る最適なレイアウトを得ることができるとともに、装置本体の配置スペースに与える影響を最小限とすることが可能になる。
【００２１】
次に、本実施形態の情報記録媒体再生装置１における開口部３の開閉手順について図４〜図１１を参照して説明する。図４は、開口部３が開状態にある情報記録媒体再生装置１の内部状態を示した平面図、図５は、図４の正面図、図６は、開口部３が閉ざされていく過程における情報記録媒体再生装置１の内部状態を示した平面図、図７は、図６の正面図、図８は、開口部３がさらに閉ざされた情報記録媒体再生装置１の内部状態を示した平面図、図９は、図８の正面図、図１０は、開口部３が閉状態にある情報記録媒体再生装置１の内部状態を示した平面図、図１１は、図１０の正面図である。
【００２２】
筐体上面２に形成された開口部３が開状態にある情報記録媒体再生装置１は、図４，５に示すように、制御手段に予め設定されている開作動制御により、開口部３（同図中、二点鎖線で示す）とは異なる筐体上面２側にスライドドア４が移動配置されて開口部３を開状態としているとともに、その開口部３の下方側にスライドベース６が移動配置されている。この状態では、図５に示すように、上側ラック部材１４のラック部２０の図中右端側と駆動ギヤ３９の上面側とが噛み合わされているとともに、スライドベース６のラック部２８の図中左端側と駆動ギヤ３９の下面側とが噛み合わされている。そして、スライドドア４の摺動ピン部１３は、上側ラック部材１４の案内孔１６の係止部１９とシャーシ部材１５の案内孔２１の水平部２２における水平部端（図中左端側）とを連通するように嵌合している。また、上側シャーシ部材１５の図中左端側が、シャーシ部材１５に取り付けられたオープン検知スイッチ２５に当接していることによって、開口部３が開状態であることが制御手段より検出されている。なお、クランパ８は、上方に向かって待避回動されておりクランプ待機状態となっている。
【００２３】
その状態でユーザが、図５に示すように、開口部３から筐体内部に向かって記録媒体をほぼ水平状態のまま下降させてスライドベース６の記録媒体載置部５に載置するとともに、装置本体に設けられたスライドドアクローズ用スイッチ４０（図１に図示）を押下すると、制御手段がスライド機構７の駆動モータ２９を図中反時計回り方向に回転するように給電制御する。この駆動力により小プーリ３０が図中反時計回り方向に回転して、ゴムベルト３２を介して大プーリ３１、小径ギヤ３３を図中反時計回り方向に回転させて大径ギヤ３４、伝達プーリ３６が図中時計回り方向に回転し、タイミングベルト３８を介して減速プーリ３７、駆動ギヤ３９を図中時計回り方向に回転させる。すると、駆動ギヤ３９に噛合している上側ラック部材１４が図中右方向に向かって移動を開始するとともに、開口部３の下方側に位置していたスライドベース６が図中左方向の記録再生部９に向かってスライド移動を開始する。
【００２４】
すると、上側ラック部材１４の案内孔１６の係止部１９に嵌合しているスライドドア４の摺動ピン部１３は、シャーシ部材１５の案内孔２１の水平部２２によって図中右方向以外の移動を規制されることにより、スライドドア４は、図６〜図９に示すように、上側ラック部材１４の移動にともなってほぼ水平状態のまま図中右方向に向かってスライド移動を開始する。そして、上側ラック部材１４が図中右方向に移動してオープン検知スイッチ２５から離脱すると、オープン検知スイッチ２５から制御手段に対して検出信号が出力される。なお、待避状態であってクランパ８は、スライド機構７と連動して下向きに回動し始めており、徐々にクランプ状態に移行している。
【００２５】
さらに、駆動ギヤ３９の回動が継続され、上側ラック部材１４と一体となってスライドドア４が図中右方向に向かってスライド移動していくと、やがてスライドドア４の摺動ピン部１３は、上側ラック部材１４の案内孔１６の係止部１９に嵌合したままの状態で、シャーシ部材１５の案内孔２１の水平部２２を挿通し終えて図中右端側の水平部端、つまり垂直部２３の下端部に当接する。そのため、スライドドア４は、図中右方向、つまり水平方向への移動が規制されるとともに、開口部３のほぼ下方側とされる位置に到達している。このとき、スライドベース６は、駆動ギヤ３９の回動にともなって記録再生部９に向かって図中左方向に連続してスライド移動している。
【００２６】
その後も駆動ギヤ３９の回動が継続されて上側ラック部材１４を図中右方向へ移動させることにより、スライドドア４の摺動ピン部１３は、上側ラック部材１４の案内孔１６の係合部１９から傾斜部１８を挿通し始めるとともに、シャーシ部材１５の案内孔２１の水平部２２から垂直部２３を挿通し始めるようになる。そのため、スライドドア４は、ほぼ水平状態を保持したまま上方の開口部３に向かって上昇を開始する。
【００２７】
そして、上昇したスライドドア４は、スライドドア４の摺動ピン部１３が上側ラック部材１４の案内孔１６の傾斜部１８を挿通し終えて水平部１７を挿通し始めるとともに、シャーシ部材１５の案内孔２１の垂直部２３を挿通し終えて垂直部上端に当接することによって、その上昇移動が停止されるとともに、開口部３の開口縁に当接して開口部３を閉状態としている。この際、スライドドア４に施されている防塵構造により、スライドドア４と筐体上面２との隙間から侵入する塵、埃が減少される。
【００２８】
シャーシ部材１５の案内孔２３の垂直部上端に摺動ピン部１３が当接したスライドドア４は、図中上下左右方向の移動が規制されるものの、上側ラック部材１４は、その案内孔１６の水平部１７にスライドドア４の摺動ピン部１３を挿通した状態で、駆動ギヤ３９によってさらに図中右方向に所定距離だけ移動される。そして、図１０，１１に示すように、上側ラック部材１４の案内孔１６の水平部１７における水平部端（図中左端部側）がスライドドア４の摺動ピン部１３と当接するとともに、上側ラック部材１４の図中右端側がシャーシ部材１５に取り付けられたクローズ検知スイッチ２６と当接する。そのことにより、開口部３が閉状態となったことがクローズ検知スイッチ２６によって検出され駆動モータ２９への給電が停止されることにより、開口部３をスライドドア４によって閉状態とした上側ラック部材１４およびスライドベース６の移動が停止される。このとき、開口部３の下方側から図中左方向に向かってスライド移動したスライドベース６は記録再生部９に到達しており、記録媒体載置部５の載置中心Ｃ１とクランプ状態に移行したクランパ８のクランプ中心Ｃ２とがほぼ同軸上に位置している。そして、ユーザが所望すれば記録再生部９が、所定の回転速度で記録媒体１００を回転させて、記録媒体１００に書き込まれている情報を読み込んだり、或いは記録媒体１００に情報を書き込んだりする。
【００２９】
このように、開口部３が閉状態にある情報記録媒体再生装置１は、図１０，１１に示すように、スライド機構７によって上側シャーシ部材１５およびスライドドア４が開口部側に位置するように移動されているとともに、スライドベース６が記録再生部９に位置するように移動されている。その状態における駆動ギヤ３９の上側には、開口部３を閉状態にしている上側ラック部材１４の図中左端側が噛み合わされているとともに、駆動ギヤ３９の下側には、記録再生部９に搬送されてきたスライドベース６のラック部２８の図中右端側が噛み合わされている。
【００３０】
そして、閉状態にある開口部３を開状態に移行させるには、開状態にある開口部３を閉状態に移行させた上述の手順を逆に辿っていけばよい。
すなわち、開口部３がスライドドア４によって閉ざされている状態の情報記録媒体再生装置１において、ユーザが、装置本体に設けられたスライドドアオープン用スイッチ４１（図１に図示）を押下すると、制御手段に予め設定されている閉作動制御により、制御手段がスライド機構７の駆動モータ２９を図中時計回り方向に回転するように給電制御する。この駆動力により小プーリ３０が図中時計回り方向に回転して、ゴムベルト３２を介して大プーリ３１、小径ギヤ３３を図中時計回り方向に回転させ、大径ギヤ３４、伝達プーリ３６が図中反時計回り方向に回転して、タイミングベルト３８を介して減速プーリ３７、駆動ギヤ３９を図中反時計回り方向に回転させ、駆動ギヤ３９に噛合している上側ラック部材１４が図中左方向に向かって移動を開始するとともに、スライドベース６が図中右方向に向かって移動を開始する。また、クランプ状態にあったクランパ８は、スライドベース６のスライド移動にともなって待避位置に移行すべく上方への待避回動を開始する。
【００３１】
上側ラック部材１４は、駆動ギヤ３９の回動にともなって図中左方向に向かって徐々に移動していくが、スライドドア４の摺動ピン部１３は、上側ラック部材１４の案内孔１６の水平部１７とシャーシ部材１５の案内孔２１の垂直部２３とに嵌合されていて、図中上下左右方向への移動が規制されている。そのため、スライドドア４の摺動ピン部１３が上側ラック部材１４の案内孔１６の水平部１７を挿通している間、開口部３はスライドドア４によって閉状態とされたままの状態が維持される。そして、上側ラック部材１４がさらに図中左方向に移動して、スライドドア４の摺動ピン部１３が、上側ラック部材１４の案内孔１６の水平部１７を挿通し終わって傾斜部１８を挿通し始めるとともに、シャーシ部材１５の垂直部２３を下降し始めるようになると、スライドドア４がほぼ水平状態のままで下降を開始する。
【００３２】
なおも、上側ラック部材１４が図中左方向に向かって移動すると、スライドドア４の摺動ピン部１３は、上側ラック部材１４の案内孔１６の傾斜部１８を挿通したのち係止部１９に係止されるとともに、シャーシ部材１５の案内孔２１の垂直部２３を下端まで挿通したのち水平部端に位置される。そのことにより、スライドドア４の下降は停止され、スライドドア４の摺動ピン部１３が上側ラック部材１４の係止部１９とシャーシ部材１５の案内孔２１の水平部２２とにより水平方向への移動以外は規制されることにより、上側ラック部材１４のスライド移動にともなってスライドドア４は図中左方向に向かってスライド移動を開始する。このとき、クローズ検出スイッチ２６は、上側ラック部材１４のスライド移動にともなって開口部３が閉状態ではなくなったことを検知して制御手段に出力する。
【００３３】
このようにスライドドア４は、上側ラック部材１４の移動にともなってほぼ水平状態のまま図中左方向に向かってスライド移動し、やがて、スライドドア４の摺動ピン部１３は、シャーシ部材１５の案内孔２１の係止部１９を連通した状態で、上側ラック部材１４の案内孔１６の水平部１７における水平部端に当接するとともに、上側シャーシ部材１５の図中左端側が、シャーシ部材１５に取り付けられたオープン検知スイッチ２５に当接することにより、開口部３が開状態であることが制御手段に出力されて駆動モータ２９への給電が停止される。このとき、開口部３とは異なる筐体上面側にスライドドア４が移動配置されて開口部３を開状態としているとともに、開口部３の下方側にスライドベース６が移動配置されている。なお、クランパ８は、上方に向かって待避回動されておりクランプ待機状態となっている。
【００３４】
このように、本発明の情報記録媒体再生装置１では、筐体上面２に形成された記録媒体挿入用の開口部３は、筐体上面２の長手方向に沿ってスライド移動し、且つ垂直方向に昇降移動するスライドドア４によって開閉されるので、フロントローディング方式やスロットイン方式、或いはポップアップ式にトップカバーが開くトップローディング方式を採用した情報記録媒体再生装置のようにユーザがトレイの開閉動作を妨げたり、記録媒体の挿排出路を確保したり、ドライブの上面側にある程度の空間を必要とすることはなくなり、ユーザの利便性および情報記録媒体再生装置の設置場所の自由度を向上させることができる。さらに、スライドドア４が開口部３の開口縁に下方側から当接して開口部３を閉状態とするので、スライドドア４と筐体上面２との隙間から侵入する塵、埃を減少させることができる。
また、本発明の情報記録媒体再生装置１では、スライドドア４による開閉動作が筐体内部で行われるために、作業空間が十分に確保できないような狭い場所でも記録媒体の交換作業に支障を来すことなく設置することができる。
さらに、本発明の情報記録媒体再生装置１では、開口部３とは異なる筐体上面の下方側に記録再生部９が配置され、この記録再生部９と開口部３の下側との間をスライド移動するスライドベース６がスライドドア４と連動するように配設されていることにより、記録媒体交換が容易にできるようになるとともに、開口部３が開放されてもスライドベース６が記録再生部９を保護することとなるので、ユーザが誤って記録再生部９に触れてしまうことが防止されて記録再生部９が損傷することを未然に防止することができる。
【００３５】
ところで、本発明における記録媒体１００は、ＣＤ−Ａudio/ROMのみならず、ＣＤ−R/RW，ＤＶＤ−ROM/R/RW、ＭＤなどの光ディスクやＭＯなどの光磁気ディスクも含まれるものとし、これらの記録媒体に対して情報の読み書きをするドライブに本発明を適用することができる。
【００３６】
【発明の効果】
以上のように、本発明による情報記録媒体再生装置は、情報が記録された記録媒体を筐体内部に収容する所定の収容位置と記録媒体からの情報読み取りまたは記録媒体への情報書き込みを行う記録再生位置との間で搬送する搬送手段を備えた情報記録媒体再生装置であって、筐体上面に設けられた開口部と、開口部から所定方向に挿通された記録媒体を収容するとともに、収容位置と記録再生位置との間に移動自在に設けられた記録媒体保持手段と、開口部を開閉するように筐体上面に沿って移動自在に設けられた蓋体とを備え、搬送手段は、蓋体と記録媒体保持手段とを相反する方向に向かって移動させ、且つ開口部を閉状態とした蓋体を垂直に下降させたのち開口部とは異なる筐体上面側に水平移動させて開口部を開状態とすると共に、開口部を開状態とした蓋体を開口部側に水平移動させたのち垂直に上昇させて開口部を閉状態とする。そのことにより、ユーザが筐体内部に記録媒体を挿入しようとして、筐体上面に沿って蓋体を移動させて開口部を開口状態とすると同時に、開口部の下方側には記録媒体保持手段が搬送手段によって移動されている。そして、開口部から記録媒体を挿入して記録媒体保持手段に保持させて記録再生位置まで移動させると同時に、蓋体が開口部を閉状態とするように移動されるようにしたので、記録媒体を必要最小限の作業空間でもって情報記録媒体再生装置にローディングさせることができ、装置本体の設置場所の自由度を向上させた情報記録媒体再生装置を提供することができる。さらに、蓋体が開口部の開口縁に下方側から当接して開口部を閉状態とするので、蓋体と筐体上面の隙間から侵入する塵、埃を減少させることができる。
また、開口部の下方側とは異なる筐体内部に記録再生位置を設けるようにしたので、開口部が開状態となっても記録再生位置は記録媒体保持手段によって保護されることとなり、記録再生位置の損傷を未然に防止することができる。
【図面の簡単な説明】
【図１】  本発明を適用した情報記録媒体再生装置の概略を説明するために開口部を開状態とした装置本体の斜視図である。
【図２】  図１における装置内部の構成を説明するための分解平面図である。
【図３】  図１における装置内部の構成を説明するための分解正面図である。
【図４】  開口部が開状態にある情報記録媒体再生装置の内部状態を示した平面図である。
【図５】  図４の正面図である。
【図６】  開口部が閉ざされていく過程における情報記録媒体再生装置の内部状態を示した平面図である。
【図７】  図６の正面図である。
【図８】  開口部がさらに閉ざされた情報記録媒体再生装置の内部状態を示した平面図である。
【図９】  図８の正面図である。
【図１０】  開口部が閉状態にある情報記録媒体再生装置の内部状態を示した平面図である。
【図１１】  図１０の正面図である。
【符号の説明】
１    情報記録媒体再生装置
２    筐体上面
３    開口部
４    スライドドア
５    記録媒体載置部
６    スライドベース
７    スライド機構
８    クランパ
９    記録再生部
１３  摺動ピン部
１４  上側ラック部材
１５  シャーシ部材
１６，２１  案内孔
２０，２８  ラック部
２９  駆動モータ
３９  駆動ギヤ
１００  記録媒体
【図１】
0003842095.tif 000002
【図２】
0003842095.tif 000003
【図３】
0003842095.tif 000004
【図４】
0003842095.tif 000005
【図５】
0003842095.tif 000006
【図６】
0003842095.tif 000007
【図７】
0003842095.tif 000008
【図８】
0003842095.tif 000009
【図９】
0003842095.tif 000010
【図１０】
0003842095.tif 000011
【図１１】
0003842095.tif 000012